(57)【特許請求の範囲】
【請求項１】
片面が印刷済の用紙を多数枚積層した積層紙を、反転させ、未印刷面を上面に向けて印刷機に再度供給するための供給装置であって、
積層紙の、上・下を挟持する二基のパレットと、
これらパレット間に、該積層紙の嵩に応じ、調節可能な複数個の整列保持具と、
前記パレットの相対向する辺に、それぞれ反転用の反転シャフトを形成した反転バーからなる一対の緊締・反転具と、
該緊締・反転具のそれぞれ反転シャフトと軸支する一対の反転補助スタンドと、
からなる片面印刷機における未印刷用紙の供給装置において、
整列保持具及び緊締・反転具を、それぞれ上・下パレットに、それぞれ装・脱着できる固定具が、上・下パレットのそれぞれ縁枠に埋設・固定する受け部と、
該受け部に差し込み固定する固定ピンからなり、
前記整列保持具の両端部及び前記緊締・反転具のラックのそれぞれ縁部に形成された穴を介してそれぞれ固定ピンを差し込み、
時計方向あるいは反時計方向に少し回動して固定することにより、装・脱着できる
ことを特徴とする片面印刷機に使用する未印刷用紙の供給装置。
【請求項２】
前記受け部が、
円形穴と該穴の縁部に突起部用穴を連接した差し込み穴を穿設したプレート板と、
該プレート板に形成した円形穴に連設した突起部用穴の位置に適合する幅のスリット溝を有する略筒状案内管を固定して設けた
ことを特徴とする請求項１記載の片面印刷機に使用する未印刷用紙の供給装置。
【請求項３】
前記固定ピンが、
ピン本体の先端部には、前記スリット溝内を挿通可能な突起を設け、
末端部には、ハンドル部を設けた
ことを特徴とする請求項１記載の片面印刷機に使用する未印刷用紙の供給装置。
【請求項４】
前記緊締・反転具が、
ケーシング内の中心にピニオンを設け、
該ピニオンと相対向して螺合する歯切りしたラックを有する反転バーを組み合わせて設け、
これら反転バーのそれぞれ端部は、それぞれ固定具の固定ピンの差し込む穴を設け、
前記ピニオンの回転を停止する一時ストッパーを設け、
さらに、ケーシングには前記ピニオンと同軸位置にシャフトを設けた
ことを特徴とする請求項１記載の片面印刷機に使用する未印刷用紙の供給装置。
【請求項５】
前記反転補助スタンドが、
一対のそれぞれ基台と、それぞれの基台に植設された支柱部からなり、
該支柱部には、緊締・反転具の反転シャフトに適合する突起状のシャフト受を、上下方向に複数個設けた          
ことを特徴とする請求項１記載の片面印刷機に使用する未印刷用紙の供給装置。
【請求項６】
前記基台が、
シャフト受と直交方向に設けたスライド溝に沿って基台外部に向けてそれぞれ突出する突出部材と、
キャスターとを設けた
ことを特徴とする請求項５記載の片面印刷機に使用する未印刷用紙の供給装置。
【発明の詳細な説明】
【技術分野】
【０００１】
この発明は、片面印刷機に使用する未印刷用紙の供給装置に関する。
【背景技術】
【０００２】
従来、印刷機は、両面印刷機と片面印刷機からなり、前者は極めて高価であり、しかも機械本体が大型であり、従って、工場内で大きな場所を占めるもであった。それに対して、後者の片面印刷機は前者に比べて価格も低く、占める場所も比較的小さなものであった。
【０００３】
しかし、この片面印刷機を使用して印刷用紙の両面を印刷する，即ち，両面印刷を行うには、先ず、紙面の片面を印刷した用紙を片面印刷機の排紙側で多数枚待ち受け、この待ち受けた多数枚（最大で、８０００〜１００００枚）の用紙を反転させ、未印刷の面を上にし、再び、印刷機の給紙側に移動して残りの未印刷の面を印刷する必要があった。
【０００４】
しかし、印刷機を用いて印刷する紙面は大量の枚数であり、この印刷機の排紙側に印刷された紙を適当枚数束ね、この紙を再び、印刷機の給紙側に移動して積載する必要があり、この作業は、手作業による再積載が主流であり煩雑であった。
【０００５】
特に、紙サイズの大きな、Ａ版、菊全版、四六版など、しかも紙質によってはさらに重量が増し、これらの大型の紙サイズを大量に反転して移動させる作業は、体力を要し、熟練作業員でも非常な重労働作業となっていた。
【０００６】
これに対して、印刷機械における両面印刷作業において、用紙を一面（表面）から他面（裏面）に変更する際に用いられる材料反転機の改良に関するものは存在する。例えば、特許文献１のように。
【０００７】
しかし、この開示された特許文献１は、特殊な反転機を必要とし、積層紙を油圧器により挟持し、また、この挟持された積層紙の反転作業は、その動力源にモーターを必要とし、しかも、挟持した積層紙を反転するための回転軸は、反転機に固定された固定式の反転機であり、その作動に油圧器やモーター等の動力を必要とする装置であり、その反転作業が容易・迅速に行なえるものではなかった。
【０００８】
また、束ねた給紙用紙の反転機構の発明が開示されている。例えば、特許文献２のように。
【０００９】
しかし、この反転機構装置では、束ねた給紙用紙を、底面に置かれるスキッドと、頂上に置かれるスキッドで挟んで保持し、この間を複数本のチャンネル部材で固定し、これを左右回転軸部を、それぞれチェーンで吊るされ、それぞれのチェーンは中心を天秤状のバーで吊り下げ、ラチェット機能を有する回転軸部を中心に反転させる動力吊り上げて反転させる手段を有する装置は存在した。バーは、安全、かつ、迅速にセットできるものではなかった。
【００１０】
さらに、本願出願人が取得した片面印刷機における未印刷用紙の供給装置がある。例えば、特許文献３のように。
【００１１】
しかし、この装置は、整列保持具と緊締・反転具を、それぞれ紙受台であるパレットにボルトとナットで数カ所に取り付け、取り外しをするため、その装・着脱作業に時間と労力を必要としていた。
【先行技術文献】
【特許文献】
【００１２】
【特許文献１】特開昭５７−０６７４４５号公報
【特許文献２】米国特許第２６５６０５１号公報
【特許文献３】特許第５４０１５６６号公報
【発明の概要】
【発明が解決しようとする課題】
【００１３】
そこで、この発明の課題は、両面印刷機に比べはるかに安価な、しかも該印刷機本体より占有面積が少ない片面印刷機において使用し、用紙の片面のみが印刷済であり、残りの片面は未印刷である用紙の供給装置を、さらに改良し、より簡単、迅速、しかも安全・確実にセットできる片面印刷機に使用する未印刷用紙の供給装置を開発・提供することにある。
【課題を解決するための手段】
【００１４】
片面印刷機に使用する未印刷用紙の供給装置は、
片面が印刷済の用紙を多数枚積層した積層紙を、反転させ、未印刷面を上面に向けて印刷機に再度供給するための供給装置であって、
積層紙の、上・下を挟持する二基のパレットと、
これらパレット間に、該積層紙の嵩に応じ、調節可能な複数個の整列保持具と、
前記パレットの相対向する辺に、それぞれ反転用の反転シャフトを形成した反転バーからなる一対の緊締・反転具と、
該緊締・反転具のそれぞれ反転シャフトと軸支する一対の反転補助スタンドと、
からなる片面印刷機における未印刷用紙の供給装置において、
整列保持具及び緊締・反転具を、それぞれ上・下パレットに、それぞれワンタッチで装・脱着できる固定具で固定する
ことを特徴とする。
【００１５】
前記固定具が、
上・下パレットのそれぞれ縁部に埋設・固定する受け部と、該受け部に差し込み固定する固定ピンからなり、
前記整列保持具の両端部及び前記緊締・反転具のラックのそれぞれ縁部に形成された穴を介してそれぞれ固定ピンを差し込み、
時計方向あるいは反時計方向に少し回動して固定することにより、ワンタッチで装・脱着できる
ことを特徴とする。
【００１６】
前記受け部が、
円形穴と該穴の縁部に突起部用穴を連接した差し込み穴を穿設したプレート板と、
該プレート板に形成した円形穴に連設した突起部用穴の位置に適合する幅のスリット溝を有する略筒状案内管を固定して設けた
ことを特徴とする。
【００１７】
前記固定ピンが、
ピン本体の先端部には、前記スリット溝内を挿通可能な突起を設け、
末端部には、ハンドル部を設けた
ことを特徴とする。
【００１８】
前記整列保持具が、
適宜な幅を有する平板を設け、該平板の長軸方向に外筒を形成し、
該外筒の内部に、外筒とスライド可能な内筒を設け、
該内筒及び前記外筒のそれぞれ先端部には、パレットに固定する固定ピンの差し込み穴を設け、
外筒の中途には、スライドする内筒を適宜な位置で固定、または開放するロック装置を有する
ことを特徴とする。
【００１９】
前記ロック装置が、
内筒に形成した案内溝を貫通する固定ピンを前記外筒に設け、
該固定ピンは、カム機構によって、内筒と外筒とを締結したり、緩めたりするハンドル  を設けた
ことを特徴とする。
【００２０】
前記緊締・反転具が、
ケーシング内にピニオンを設け、
該ピニオンと相対向して螺合する歯切りしたラックを有する反転バーを組み合わせて設け、
これら反転バーのそれぞれ端部は、それぞれワンタッチ固定具の固定ピンの差し込む穴を設け、
前記ピニオンの回転を停止する一時ストッパーを設け、
さらに、ケーシングには前記ピニオンと同軸位置に、シャフトを設けた
ことを特徴とする。
【００２１】
前記反転補助スタンドが、
一対のそれぞれ基台と、それぞれの基台に植設された支柱部からなり、
該支柱部には、緊締・反転具の反転シャフトに適合する突起状のシャフト受を、上下方向に複数個設けた          
ことを特徴とする。
【００２２】
前記基台が、
シャフト受と直交方向に設けたスライド溝に沿って基台外部に向けてそれぞれ突出する突出部材と、
キャスターとを設けた
ことを特徴とする。
【発明の効果】
【００２３】
この発明によると、受け部と固定ピンからなる固定具を用い、上・下パレットの取付穴に装着した受け部に、整列保持具及び緊締・反転具に形成した差し込み穴を介して固定ピンを前記受け部の略筒状案内管に差し込み、少し、回動することにより、それぞれ整列保持具及び緊締・反転具を簡単、且つ、迅速、しかも確実にワンタッチで装・脱着することが出来、極めて有益なる効果を有する。
【００２４】
又、この発明によると、整列保持具には、積層紙の嵩に合わせてスライド可能に上・下パットの相対向する穴設けた受け具にそれぞれセットでき、積層紙の嵩に合った位置でロック装置のハンドルを倒すことにより固定でき、確実にセットでき、また、平板を積層紙の側面に当接することにより積層紙がはみ出ることがない。
【００２５】
また、この発明によると、緊締・反転具は、ピニオンに、該ピニオンと噛み合う一対のラックを有する反転バーを均等距離に設け、しかも、ピニオン軸と反転シャフトとを同軸上に設けるため、荷重の中心に反転シャフトをセットでき、反転時に、偏荷重が掛かることなく容易に反転でき、省力的である等のすぐれた効果を奏する。
【図面の簡単な説明】
【００２６】
【図１】この発明に使用する固定具の一実施例を示す斜視図である。
【図２】この発明に使用する固定具の一実施例を示し、（Ａ）は、固定ピンの斜視図であり、（Ｂ）は、受け具の斜視図であり、（Ｃ）は、受け具の平面図である。
【図３】この発明に使用する固定具の使用状態を示し、（Ａ）は、正面断面図であり、（Ｂ）は、平面断面図である。
【図４】この発明に使用する整列保持具の一実施例を示す斜視図である。
【図５】この発明に使用する整列保持具の取付け状態を示し、（Ａ）は一部欠截斜視図であり、（Ｂ）は、図５Ａ中ａ−ａ断面図である。
【図６】この発明に使用する整列保持具の取付け状態を示す正面図である。
【図７】この発明に使用する緊締・反転具の一実施例を示し、（Ａ）は、正面図であり、（Ｂ）は、一部欠截側面図である。
【図８】この発明に使用する緊締・反転具の一部欠截拡大断面図である。
【図９】この発明に使用する緊締・反転具の取付け状態を示す正面図である。
【図１０】この発明に使用する反転補助スタンドの斜視図である。
【図１１】この発明に使用する反転補助スタンドの取付け状態を示す正面図である。
【図１２】この発明の使用状態を示す斜視図である。
【発明を実施するための形態】
【００２７】
以下、この発明の好適な実施の形態について詳細に説明すると、この発明においては、以下の記述に限定されるものではなく、この発明の要旨を逸脱しない範囲においては適宜変更可能である。
【実施例】
【００２８】
次に、この発明の一実施例を図面に基づいて詳述すると、片面が印刷済の用紙を多数枚積層した積層紙（Ｙ）を、反転させ、未印刷面を上面に向けて印刷機に再度供給するための供給装置（Ｘ）であって、該積層紙（Ｙ）の、上・下を挟持する二基のパレット（21）（22）と、これらパレット間に、該積層紙（Ｙ）の嵩に応じ、調節可能な複数個の整列保持具（300)と、前記パレットの相対向する辺に、それぞれ反転用の反転シャフト(410) を形成した反転バー(414,414′）からなる一対の緊締・反転具(400) と、該緊締・反転具のそれぞれ反転シャフト（410 ）を軸支する一対の反転補助スタンド(500）と、からなる片面印刷機における未印刷用紙の供給装置において、前記整列保持具(300) 及び緊締・反転具(400）の上・下端を、積層紙（Ｙ）を搭載した上・下パレット（21）（22）に、それぞれ固定具(100) を用い、ワンタッチで装・脱着する片面印刷機に使用する未印刷用紙の供給装置から構成される。
【００２９】
前記固定具(100）は、図１に示すように、受け部(110) と固定ピン(120）から構成される。これらを以下詳述する。
【００３０】
先ず、図２に示すように、前記受け部(110）は、円形穴(111) と該穴の縁部に突起部用穴(112) を連接した差し込み穴(113) を穿設したプレート板（114 ）と、該プレート板上に形成した円形穴(111) と連設した突起部用穴(112) の位置に、スリット溝(115) を適合させた略筒状案内管(116) からなり、該案内管の先端は前記プレート板（114 ）に差し込み固定されている。
【００３１】
そして、前記固定ピン(120) は、ピン本体(121) の先端部付近に、前記スリット溝(115) 内を挿通可能な突起(122）を設け、ピン本体(121) の末端部には、ワッシャ(123) を介してハンドル部(124）を設けており、該ハンドル部には前記突起(122）の位置角度を示す目印(125) を設け、前記突起の位置角度がわかるよう構成されている。
【００３２】
また、前記略筒状案内管(116) は、プレート板（114 ）より突出して設けられており、該略筒状案内管(116) の先端は、前記突起(122）がスリット溝(115) に挿入し易くするため両角部をアールに形成しており、また、該略筒状案内管(116) の末端には、前記スリット溝(115) の位置から、該略筒状案内管(116) の周縁部に沿って前記突起(122）が移動するに従い、縁部が徐々に高くなる勾配を形成し、固定ピン(120）がを受け部(110) に緊締するよう堅牢に一時固定するよう構成している。
【００３３】
前記受け部(110) は、上・下パレット（21）（22）のそれぞれ外枠材（23）の複数箇所に設けた取付穴（Ｚ）に差し込み、プレート板（114 ）で固定され、前記略筒状案内管(116) の先端は、該外枠材（23）の外表面に面一となるよう設けている。
【００３４】
また、前記上・下パレット（21）（22）の構成を説明すると、両パレットは実質的には同一の構成をしており、積層紙（Ｙ）の上面を覆う方が、上パレット（21）であり、積層紙（Ｙ）の下面に敷く方が、下パレット（22）であり、これらは、平板（24）と外枠材（23）で構成されている。
【００３５】
そして、前記上・下パレット（21）（22）のそれぞれ平板（24）は、積層紙（Ｙ）の縦・横と同じサイズ面積にそれぞれ構成されている。従って、積層紙（Ｙ）の大きさの異なる，例えば、Ａ版、菊全版、四六版ではそれぞれの紙寸法の合った平板の専用パレットを設けるものである。
【００３６】
これらパレット（21）（22）は、表面外周を外枠材（23）で囲み、該外枠材は図５（Ａ）に示すように、それぞれパレット内側を格子状に補強するよう構成されており、固定具(100) の受け部(110）は、前記平板（24）の周囲に設けた外枠材（23）に、適当数それぞれ固定されている。
【００３７】
また、前記整列保持具(300）の両端部、そして前記緊締・反転具(400）の各反転バー(414,414′）には、それぞれ端部に形成された差し込み穴（315 ）を介して固定ピン（120 ）を差し込み、時計方向、あるいは反時計方向に少し回動して固定することにより、ワンタッチで装・脱着できるよう構成したものである。
【００３８】
さらに、前記整列保持具（300 ）は、適宜な幅を有する平板（311 ）を設け、該平板の長軸方向に外筒（312 ）を形成し、該外筒の内部に、外筒とスライド可能な内筒（313 ）を設け、該内筒には案内溝（317 ）を設けると伴に、前記外筒のそれぞれ先端部には、パレット（21）（22）に固定するための固定ピン（120 ）を差し込む，差し込み穴（315 ）を設け、外筒（312 ）の中途には、スライドする内筒（313 ）を適宜な位置で固定、または開放するロック機構を設けている。
【００３９】
さらに、前記ロック機構は、内筒（313 ）に形成した案内溝（317 ）を貫通する固定肝（318 ）を前記外筒（312 ）に設け、該固定肝（318 ）のカム機構によって、内筒（313 ）と外筒（312 ）とを緊締したり、弛緩するカムシャフトハンドル（316 ）を設けている。
【００４０】
さらに、前記整列保持具（300 ）の内筒（313 ）の先端両端には、前記固定具（100 ）の固定ピン（120 ）を差し込み、保管する保管リング（319 ）を設けている。尚、外筒（312 ）の中央部に設けたチャンネル状枠は移動用の把手（320 ）である。
【００４１】
そして、前記緊締・反転具（400 ）は、図７（Ａ），（Ｂ）に示すようにケーシング（411 ）内の中心にピニオン（412 ）を設け、該ピニオンと相対向して螺合する歯切りしたラック（413 ，413 ′）の側面に形成した反転バー（414 ）（414 ′）を噛み合わせて設け、これら反転バーのそれぞれ端部は、それぞれワンタッチ固定具（100 ）の固定ピン（120 ）を差し込むための差し込み穴（315 ）を設け、前記ピニオン（412 ）の回転を停止する一時ストッパー装置（415 ）を設け、さらに、ケーシング（411 ）には前記ピニオンと同軸位置に反転シャフト（410 ）を設けている。
【００４２】
さらに前記反転補助スタンド（500 ）は、図１２に示すように、一対のそれぞれ基台（510 ）からなり、図１０，図１１，図１２にそれぞれ示すように、基台に植設された支柱部（511 ）を設け、該支柱部には、緊締・反転具（400 ）の反転シャフト（410 ）に適合する穴径を有し、且つ長さを有するシャフト受（512 ）を、上下方向に複数個設けたものであり、積層紙（Ｙ）の嵩に応じて、適宜の高さ位置にあるシャフト受（512 ）を選択して使用するものである。
【００４３】
なお、前記それぞれのシャフト受（512 ）は、カバー（513 ）で一体に覆われており、シャフト受（512 ）の穴のみしか外部から見えないよう構成され、前記基台（510 ）の支柱部（511 ）の下部には、シャフト受（512 ）と直交方向に設けたスライド溝（515 ）に沿って基台（510 ）外部に向けてそれぞれ突出する突出部材（514 ）を設け、反転補助スタンド（500 ）の転倒を防止するよう構成され、また、基台（510 ）の底部にキャスター（516 ）を設け、補助スタンド（500 ）の支柱部（511 ）を傾けて、該キャスター（516 ）を利用して前記反転補助スタンド（500 ）を楽に移動できるよう構成したものである。  
【００４４】
そして、上記装置によって図１２の矢印のごとく積層紙（Ｙ）反転し、反転した積層紙（Ｙ）を挟持したパレット（21,22 ）は、市販のパレットハンドリフター（荷物を載せるパレットを移動させる器具  ）で受け、パレット（21,22 ）に装着した，整列保持具（300 ）、緊締・反転具（400 ）等の各部材に固定した固定具（100 ）をワンタッチで取り外し、積層紙（Ｙ）の上面に位置するパレット（21）を取り除き、下面に位置する上パレット（22）に載置されている積層紙（Ｙ）を、前記パレットハンドリフターに載せた状態で片面印刷機の給紙側の給紙台に装填して、裏面を順次印刷するものである。
【産業上の利用可能性】
【００４５】
この発明によると、片面印刷機に使用する未印刷用紙の供給装置の技術を確立し、これに基づいて大量に製造・使用・販売することにより産業上の利用可能性があるものである。
【符号の説明】
【００４６】
２１  上パレット
２２  下パレット
２３  外枠材
２４  平板
１００  固定具
１１０  受け部
１１１  円形穴
１１２  突起部用穴
１１３  差し込み穴
１１４  プレート板
１１５  スリット溝
１１６  略筒状案内管
１２０  固定ピン
１２１  ピン本体
１２２  突起
１２３  ワッシャ
１２４  ハンドル部
１２５  目印
３００  整列保持具
３１１  平板
３１２  外筒
３１３  内筒
３１４，３１４′  固定肝
３１５  差し込み穴
３１６  カムシャフトハンドル
３１７  案内溝
３１８  固定肝
３１９  保管リング
３２０  把手
４００  緊締・反転具
４１０  反転シャフト
４１１  ケーシング
４１２  ピニオン
４１３，４１３′ラック
４１４，４１４′反転バー
４１５  ストッパー装置
５００  反転補助スタンド
５１０  基台
５１１  支柱部
５１２  シャフト受
５１３  カバー
５１４  突出部材
５１５  スライド溝
５１６  キャスター
Ｘ  供給装置
Ｙ  積層紙
Ｚ  取付穴
【要約】
【課題】両面印刷機に比べはるかに安価な、しかも印刷機本体より占有面積が少ない片面印刷機において使用し、用紙の片面のみが印刷済であり、残りの片面は未印刷である用紙の供給装置を改良し、簡単、迅速、安全・確実にセット可能とする。
【解決手段】片面が印刷済の用紙を多数枚積層した積層紙を、反転させ、未印刷面を上面に向けて印刷機に再度供給するための供給装置であって、積層紙の上・下を挟持する二基のパレットと、これらパレット間に、該積層紙の嵩に応じ調節可能な複数個の整列保持具と、パレットの相対向する辺に、それぞれ反転用の反転シャフトを形成した反転バーからなる一対の緊締・反転具と、該緊締・反転具のそれぞれ反転シャフトと軸支する一対の反転補助スタンドとからなる片面印刷機における未印刷用紙の供給装置において、整列保持具及び緊締・反転具を、上・下パレットに、それぞれワンタッチで装・脱着できる固定具で固定する。
【選択図】  図１２【図１】
0005764706.tif 000002
【図２】
0005764706.tif 000003
【図３】
0005764706.tif 000004
【図４】
0005764706.tif 000005
【図５】
0005764706.tif 000006
【図６】
0005764706.tif 000007
【図７】
0005764706.tif 000008
【図８】
0005764706.tif 000009
【図９】
0005764706.tif 000010
【図１０】
0005764706.tif 000011
【図１１】
0005764706.tif 000012
【図１２】
0005764706.tif 000013